(57)【要約】【課題】車両搭載性を損なうこと無しに、表示する情報に対して良好な視認性を確保する。【解決手段】車両用表示装置１０は、車両１のインストルメントパネル３に対して出し入れ可能な表示器１３と、操作者の入力操作を受け付けてインストルメントパネル３に対する表示器１３の出し入れおよび表示状態の変更を指示する入力操作部１１と、を備える。表示器１３は、可撓性ディスプレイである。表示器１３は、車両１のインストルメントパネル３の内部において円柱状の支持部材２１にロール状に巻き付けられている。表示器１３は、インストルメントパネル３に設けられている出入口３ａから表示領域の少なくとも一部をインストルメントパネル３の外部に露出させる。表示器１３は、支持部材２１の回転軸２１ａ周りの回転に応じてインストルメントパネル３から出し入れされる。【選択図】図２
2016078787.tif 000002
【特許請求の範囲】
【請求項１】
車両の内装部材に対して出し入れ可能な表示器と、
操作者の入力操作を受け付けて前記内装部材に対する前記表示器の出し入れおよび前記表示器の表示状態の変更を指示する入力装置と、
を備える、
ことを特徴とする車両用表示装置。
【請求項２】
前記入力装置は、前記操作者の入力操作の操作速度に応じて前記表示器の表示状態の変更を指示する、
ことを特徴とする請求項１に記載の車両用表示装置。
【請求項３】
前記入力装置は、前記表示器の表示状態の変更を指示する際に、所定画面の表示領域の大きさを変更、または所定の大きさの表示領域を有する画面の表示数を変更する、
ことを特徴とする請求項１または請求項２に記載の車両用表示装置。
【請求項４】
前記表示器は、タッチパネルであり、
前記内装部材から出る際に前記表示器が覆う車載入力装置を操作可能な入力画面を表示する、
ことを特徴とする請求項１から請求項３の何れか１つに記載の車両用表示装置。
【請求項５】
前記表示器は、前記内装部材から所定の車載入力装置を避ける方向に出る、
ことを特徴とする請求項１から請求項３の何れか１つに記載の車両用表示装置。
【請求項６】
前記表示器は、前記内装部材から出る際に前記表示器が覆う前記内装部材の表面の形状に沿う形状を有する、
ことを特徴とする請求項１から請求項５の何れか１つに記載の車両用表示装置。
【請求項７】
前記表示器は、前記表示器が覆う前記内装部材の表面の形状に応じた表示を行なう、
ことを特徴とする請求項６に記載の車両用表示装置。
【発明の詳細な説明】
【技術分野】
【０００１】
この発明は、車両用表示装置に関する。
【背景技術】
【０００２】
従来、ディスプレイの表示領域を複数の領域に分割して、複数の領域に複数種類の情報を表示する装置が知られている（例えば、特許文献１参照）。
【先行技術文献】
【特許文献】
【０００３】
【特許文献１】特開２０１１−８９８２０号公報
【発明の概要】
【発明が解決しようとする課題】
【０００４】
ところで、上記従来技術に係る装置によれば、所定の大きさの表示領域を複数の領域に分割するので、分割により小さくなる領域に表示される情報の視認性が低下する虞がある。このような問題に対して、分割後の領域における所望の視認性を確保するようにして、予め大きな表示領域を有するディスプレイを設ける場合には、ディスプレイを配置するインストルメントパネルのレイアウト変更が増大して、車両への搭載性が損なわれる虞がある。
【０００５】
本発明は上記事情に鑑みてなされたもので、車両搭載性を損なうこと無しに、表示する情報に対して良好な視認性を確保することが可能な車両用表示装置を提供することを目的としている。
【課題を解決するための手段】
【０００６】
上記課題を解決して係る目的を達成するために、本発明は以下の態様を採用した。
（１）本発明の一態様に係る車両用表示装置は、車両（例えば、実施形態での車両１）の内装部材（例えば、実施形態でのインストルメントパネル３）に対して出し入れ可能な表示器（例えば、実施形態での表示器１３）と、操作者の入力操作を受け付けて前記内装部材に対する前記表示器の出し入れおよび前記表示器の表示状態の変更を指示する入力装置（例えば、実施形態での入力操作部１１）と、を備える。
【０００７】
（２）上記（１）に記載の車両用表示装置では、前記入力装置は、前記操作者の入力操作の操作速度に応じて前記表示器の表示状態の変更を指示する。
【０００８】
（３）上記（１）または（２）に記載の車両用表示装置では前記入力装置は、前記表示器の表示状態の変更を指示する際に、所定画面の表示領域の大きさを変更、または所定の大きさの表示領域を有する画面の表示数を変更する。
【０００９】
（４）上記（１）から（３）の何れか１つに記載の車両用表示装置では、前記表示器は、タッチパネルであり、前記内装部材から出る際に前記表示器が覆う車載入力装置を操作可能な入力画面を表示する。
【００１０】
（５）上記（１）から（３）の何れか１つに記載の車両用表示装置では、前記表示器は、前記内装部材から所定の車載入力装置を避ける方向に出る。
【００１１】
（６）上記（１）から（５）の何れか１つに記載の車両用表示装置では、前記表示器は、前記内装部材から出る際に前記表示器が覆う前記内装部材の表面の形状に沿う形状を有する。
【００１２】
（７）上記（６）に記載の車両用表示装置では、前記表示器は、前記表示器が覆う前記内装部材の表面の形状に応じた表示を行なう。
【発明の効果】
【００１３】
上記（１）に記載の態様に係る車両用表示装置によれば、操作者の入力操作に応じて内装部材に対して出し入れされるとともに表示状態が変更される表示器を備えるので、表示内容に応じた表示画面の大きさの変更に対して操作者の意思を的確に反映させることができる。これにより表示画面に表示する情報に対して良好な視認性を確保することができる。さらに、内装部材に対して出し入れされることによって表示画面の大きさを変更可能な表示器を備えるので、例えばインスツルメントパネルなどの内装部材の表面に設けられる各種のスイッチおよび機器の配置を変更する必要無しに表示器を搭載することができる。これにより車両搭載性を損なうこと無しに、表示する情報に対して良好な視認性を確保することができる。
【００１４】
さらに、上記（２）の場合、入力操作の操作速度に応じて表示状態を変更する表示器を備えるので、表示状態を容易に変更することができる。
【００１５】
さらに、上記（３）の場合、表示情報に応じて表示状態を変更することができ、利便性を向上させることができる。例えば地図表示などのように地図領域（表示領域）の大きさを変更することによって表示情報量を増減させる場合と、例えば複数メニューの階層表示などのように所定の大きさの表示領域を有する複数の異なる画面の表示数を増減させる場合とに、適正に対応することができる。
【００１６】
さらに、上記（４）の場合、車載入力装置を隠すように配置される場合に車載入力装置を操作可能な入力画面を表示する表示器を備えるので、車載入力装置に対する操作性を損なうこと無しに表示画面を拡張することができる。
【００１７】
さらに、上記（５）の場合、内装部材から所定の車載入力装置を避ける方向に出る表示器を備えるので、ハザードスイッチなどのように運転上の必要度が高い所定の車載入力装置に対する操作性を損なうこと無しに表示画面を拡張することができる。
【００１８】
さらに、上記（６）の場合、内装部材の表面の形状に沿う形状を有する表示器を備えるので、内装表面の意匠性を損なうこと無しに表示画面を拡張することができる。
【００１９】
さらに、上記（７）の場合、例えば段差や凹凸などの内装部材の表面の形状に応じた表示を行なう表示器を備えるので、違和感のない表示を行なうことができる。
【図面の簡単な説明】
【００２０】
【図１】本発明の実施形態に係る車両用表示装置の構成図である。
【図２】本発明の実施形態に係る車両用表示装置の斜視図である。
【図３】本発明の実施形態に係る車両用表示装置の操作面上における操作者の手指による操作と表示器の表示状態との対応関係の例を示す図である。
【図４】本発明の実施形態に係る車両用表示装置の操作面上における操作者の手指による操作と表示器の表示状態との対応関係の例を示す図である。
【図５】本発明の実施形態に係る車両用表示装置の操作面上における操作者の手指による操作と表示器の表示状態との対応関係の例を示す図である。
【図６】本発明の実施形態に係る車両用表示装置の操作面上における操作者の手指による操作と表示器の表示状態との対応関係の例を示す図である。
【図７】本発明の実施形態の変形例に係る車両用表示装置の操作面上における操作者の手指による操作と表示器の表示状態との対応関係の例を示す図である。
【図８】本発明の実施形態の他の変形例に係る車両用表示装置の構成を示す斜視図および断面図である。
【図９】本発明の実施形態の他の変形例に係る車両用表示装置の構成を示す斜視図および断面図である。
【発明を実施するための形態】
【００２１】
以下、本発明の一実施形態に係る車両用表示装置について添付図面を参照しながら説明する。
【００２２】
本実施形態による車両用表示装置１０は、図１および図２に示すように、入力操作部１１と、表示制御部１２と、表示器１３と、表示器駆動部１４と、を備えている。
入力操作部１１は、操作者の入力操作に応じた信号を出力するタッチパッドまたはスイッチなどである。入力操作部１１は、例えば、車両１のステアリングハンドル２に配置される操作面１１ａを有するタッチパッドである。入力操作部１１は、操作者の手指による操作面１１ａへの接近、接触、接触移動、および離脱などから成るジェスチャ操作を検出する。入力操作部１１が検出するジェスチャ操作は、例えば、スワイプ、回転、タップ、フリック、ピンチ、およびズームなどである。入力操作部１１は、操作者の入力操作を受け付けて車両１のインストルメントパネル３に対する表示器１３の出し入れおよび表示状態の変更を指示する信号を出力する。
【００２３】
表示制御部１２は、入力操作部１１から出力される信号に応じて表示器１３の表示状態および表示器駆動部１４の動作を制御する。
表示器１３は、可撓性ディスプレイである。表示器１３は、車両１のインストルメントパネル３の内部において円柱状の支持部材２１にロール状に巻き付けられている。表示器１３は、インストルメントパネル３に設けられている出入口３ａから表示領域の少なくとも一部をインストルメントパネル３の外部に露出させる。表示器１３は、インストルメントパネル３の外部において出入口３ａから下方の領域を覆うように、表示領域の少なくとも一部を露出させる。表示器１３は、インストルメントパネル３の外部においてインストルメントパネル３の表面の形状に沿う形状を有している。表示器１３は、支持部材２１の回転軸２１ａ周りにおける第１方向の回転に応じて支持部材２１に巻き取られることによってインストルメントパネル３の内部に収納される。表示器１３は、支持部材２１の回転軸２１ａ周りにおける第２方向（第１方向の逆方向）の回転に応じて支持部材２１に対する装着が解除されることによってインストルメントパネル３の外部に送り出される。表示器１３の表示動作は、表示制御部１２によって制御され、インストルメントパネル３の外部に露出する表示領域の面積（露出面積）に応じて表示情報を変更する。表示器１３は、露出面積の大きさに応じて、例えば地図画面などの所定画面の表示領域の大きさを変更、または複数のメニュー画面などの所定の大きさの表示領域を有する画面の表示数を変更する。
【００２４】
表示器駆動部１４は、支持部材２１に連結されたモータなどである。表示器駆動部１４の動作は、表示制御部１２によって制御され、支持部材２１を回転軸２１ａ周りにおける第１方向または第２方向に回転駆動する。
【００２５】
この実施形態による車両用表示装置１０は上記構成を備えており、次に、この車両用表示装置１０の動作について説明する。
【００２６】
表示制御部１２は、表示器１３の初期状態などの所定の基準状態として、インストルメントパネル３の外部に表示器１３の所定下限面積の表示領域を露出させる。
表示制御部１２は、ステアリングハンドル２の操作面１１ａ上における操作者の手指Ｐによる上下方向のスワイプに応じて、入力操作部１１から出力される信号によってインストルメントパネル３に対する表示器１３の出し入れを制御する。表示制御部１２は、インストルメントパネル３の外部に露出させる表示器１３の表示領域の面積（露出面積）を、スワイプの速度に応じて所定下限面積と所定上限面積との間で変化させる。表示制御部１２は、所定速度以上のスワイプに対しては、露出面積を、図３に示すように、所定下限面積および所定上限面積の何れか一方に切り替える。表示制御部１２は、所定速度未満のスワイプに対しては、露出面積を、図４に示すように、所定下限面積と所定上限面積との間の少なくとも１つの中間面積と、所定下限面積および所定上限面積とによって段階的に変化させる。
【００２７】
表示制御部１２は、露出面積が所定下限面積である状態において、所定速度以上の下方向のスワイプが入力操作部１１によって検出されると、図３に示すように、露出面積を所定上限面積（例えば、所定下限面積の３倍など）に切り替える。
表示制御部１２は、露出面積が所定上限面積である状態において、所定速度以上の上方向のスワイプが入力操作部１１によって検出されると、露出面積を所定下限面積に切り替える。
【００２８】
表示制御部１２は、露出面積が所定下限面積である状態において、所定速度未満の下方向のスワイプが入力操作部１１によって検出されると、図４に示すように、露出面積を所定上限面積よりも小さい所定中間面積（例えば、所定下限面積の２倍など）に切り替える。
表示制御部１２は、露出面積が所定中間面積である状態において、所定速度未満の下方向のスワイプが入力操作部１１によって検出されると、露出面積を所定上限面積（例えば、所定下限面積の３倍など）に切り替える。
表示制御部１２は、露出面積が所定上限面積である状態において、所定速度未満の上方向のスワイプが入力操作部１１によって検出されると、露出面積を所定中間面積に切り替える。
表示制御部１２は、露出面積が所定中間面積である状態において、所定速度未満の上方向のスワイプが入力操作部１１によって検出されると、露出面積を所定下限面積に切り替える。
【００２９】
表示制御部１２は、ステアリングハンドル２の操作面１１ａ上における操作者の手指Ｐによる上下方向のスワイプに応じて、入力操作部１１から出力される信号によって表示器１３の露出面積を変化させる際に表示器１３の表示情報を制御する。表示制御部１２は、表示器１３の露出面積をスワイプの速度に応じて変化させる際に、表示器１３の表示情報を変化させる。
【００３０】
表示制御部１２は、所定下限面積の露出面積で地図画面２１を表示する際に、所定速度未満の下方向のスワイプが入力操作部１１によって検出されると、図５に示すように、所定下限面積の地図画面２１に加えて所定下限面積の第１メニュー画面２２を表示する。これにより表示制御部１２は、表示器１３の露出面積を２つの画面（地図画面２１および第１メニュー画面２２）の和による所定中間面積に切り替える。表示制御部１２は、既に表示している地図画面２１を下方向に送り出すように地図画面２１の上方に第１メニュー画面２２を追加表示する。
表示制御部１２は、地図画面２１および第１メニュー画面２２を表示する際に、所定速度未満の下方向のスワイプが入力操作部１１によって検出されると、地図画面２１および第１メニュー画面２２に加えて所定下限面積の第２メニュー画面２３を表示する。これにより表示制御部１２は、表示器１３の露出面積を３つの画面（地図画面２１、第１メニュー画面２２、および第２メニュー画面２３）の和による所定上限面積に切り替える。表示制御部１２は、既に表示している地図画面２１および第１メニュー画面２２を下方向に送り出すように第１メニュー画面２２の上方に第２メニュー画面２３を追加表示する。
【００３１】
表示制御部１２は、地図画面２１、第１メニュー画面２２、および第２メニュー画面２３を表示する際に、所定速度未満の上方向のスワイプが入力操作部１１によって検出されると、第２メニュー画面２３の表示を削除する。表示制御部１２は、地図画面２１および第１メニュー画面２２を上方向に移動させて、第２メニュー画面２３を出入口３ａからインストルメントパネル３の内部に収容するように第２メニュー画面２３の表示を削除する。
表示制御部１２は、地図画面２１および第１メニュー画面２２を表示する際に、所定速度未満の上方向のスワイプが入力操作部１１によって検出されると、第１メニュー画面２２の表示を削除する。表示制御部１２は、地図画面２１を上方向に移動させて、第１メニュー画面２２を出入口３ａからインストルメントパネル３の内部に収容するように第１メニュー画面２２の表示を削除する。
【００３２】
表示制御部１２は、所定下限面積の露出面積で地図画面２１を表示する際に、所定速度以上の下方向のスワイプが入力操作部１１によって検出されると、図６に示すように、所定下限面積の地図画面２１を所定上限面積の拡張地図画面２４に切り替える。表示制御部１２は、既に表示している地図画面２１の上下方向において地図領域を拡張するように拡張地図画面２４を表示する。
表示制御部１２は、拡張地図画面２４を表示する際に、所定速度以上の上方向のスワイプが入力操作部１１によって検出されると、所定上限面積の拡張地図画面２４を所定下限面積の地図画面２１に切り替える。表示制御部１２は、既に表示している拡張地図画面２４の上下方向において地図領域を減少させるように所定下限面積の地図画面２１を表示する。
【００３３】
上述したように、本実施形態による車両用表示装置１０によれば、操作者の入力操作に応じて出し入れおよび表示状態が変更される表示器１３を備えるので、表示情報に応じた表示画面の大きさの変更に対して操作者の意思を的確に反映させることができる。これによりインストルメントパネル３に設けられる各種のスイッチおよび機器の配置を変更する必要無しに、表示器１３の表示画面に表示する情報に対して良好な視認性を確保することができる。
【００３４】
さらに、操作面１１ａ上における操作者の手指Ｐによるスワイプの速度に応じて露出面積および表示情報を変更する表示器１３を備えるので、インストルメントパネル３の外部に露出する表示領域の面積および表示情報を容易に変更することができる。
さらに、表示情報に応じて表示状態を変更することができ、利便性を向上させることができる。例えば地図表示などのように地図領域（表示領域）の大きさを変更することによって表示情報量を増減させる場合と、例えばメニューの階層表示などのように所定の大きさの表示領域を有する複数の異なる画面の表示数を増減させる場合とに、適正に対応することができる。
さらに、表示器１３は、インストルメントパネル３の外部においてインストルメントパネル３の表面の形状に沿う形状を有しているので、インストルメントパネル３の表面の意匠性を損なうこと無しに表示器１３の表示画面を拡張することができる。
【００３５】
以下に、上述の実施形態の変形例について説明する。
上述した実施形態において、表示器１３は、インストルメントパネル３の外部において出入口３ａから下方の領域を覆うとしたが、この領域を、所定の車載入力装置を避けた領域としてもよい。
表示器１３は、インストルメントパネル３上において、例えばハザードスイッチなどのように車両運転に関して重要度が高い車載入力装置が配置されている領域を避けた領域を覆うように、インストルメントパネル３の出入口３ａから外部に送り出されてもよい。
この場合には、ハザードスイッチなどのように運転上の必要度が高い所定の車載入力装置に対する操作性を損なうこと無しに表示器１３の表示画面を拡張することができる。
【００３６】
上述した実施形態において、表示器１３は、インストルメントパネル３の出入口３ａから外部に送り出された際に、表示器１３が覆う車載入力装置を操作可能な入力画面を表示してもよい。
表示器１３は、例えばタッチパネルである。表示器１３は、図７に示すように、インストルメントパネル３の出入口３ａから外部に送り出された部位によってインストルメントパネル３上のハザードスイッチ３１を覆う場合には、ハザードスイッチ３１を操作可能な操作画面３２を表示する。
この場合には、車載入力装置に対する操作性を損なうこと無しに表示器１３の表示画面を拡張することができる。
【００３７】
上述した実施形態において、表示器１３は、インストルメントパネル３の表面の形状に沿う形状を有する状態において、例えば段差や凹凸などのインストルメントパネル３の表面の形状に応じた表示を行なってもよい。
表示器１３は、図８に示すように、インストルメントパネル３の表面上に存在する段差部３ｂに応じた段差形状の部位１３ｂを有する場合に、この段差形状の部位１３ｂに、例えば区切り線などを表示する。
【００３８】
上述した実施形態において、表示器１３は、車両１のインストルメントパネル３の内部において円柱状の支持部材２１にロール状に巻き付けられているとしたが、これに限定されない。
表示器１３は、図９に示すように、インストルメントパネル３の内部における所定方向に向かって伸びるように収納されてもよい。この場合、表示器駆動部１４は、表示器１３を面方向に駆動する駆動機構（例えば、リニアモータなど）を備えてもよい。
【００３９】
上述した実施形態において、表示器１３は、インストルメントパネル３の外部において出入口３ａから下方の領域を覆うように、表示領域の少なくとも一部を露出させるとしたが、これに限定されない。
表示器１３は、出入口３ａから下方以外の他の方向、例えば上方、左方向、および右方向などの適宜の方向において表示領域の少なくとも一部を露出させてもよい。
【００４０】
上述した実施形態において、表示器１３は、初期状態などの所定の基準状態として、インストルメントパネル３の外部に表示器１３の所定下限面積の表示領域を露出させるとしたが、これに限定されない。
表示器１３は、所定の基準状態として、全ての表示領域をインストルメントパネル３の内部に収納して、インストルメントパネル３の外部に表示領域を露出させていなくてもよい。
【００４１】
上述した実施形態において、表示制御部１２は、操作面１１ａ上における操作者の手指Ｐによるスワイプに応じて表示器１３の出し入れおよび表示状態を制御するとしたが、これに限定されない。
表示制御部１２は、操作面１１ａ上における操作者の手指Ｐによるスワイプ以外の他の操作に応じて表示器１３の出し入れおよび表示状態を制御してもよい。
上述した実施形態において、表示制御部１２は、操作面１１ａ上における操作者の手指Ｐによる操作の速度（スワイプの速度）に応じて表示器１３の出し入れおよび表示状態を制御するとしたが、これに限定されない。
表示制御部１２は、操作面１１ａ上における操作者の手指Ｐによる複数の異なる操作の操作状態（例えば、タップの操作数、接触操作の接触時間など）に応じて表示器１３の出し入れおよび表示状態を制御してもよい。
表示制御部１２は、操作面１１ａ上における操作者の手指Ｐによる操作の速度の変化量、いわゆる操作の加速度に応じて表示器１３の出し入れおよび表示状態を制御してもよい。
表示制御部１２は、操作面１１ａ上における操作者の手指Ｐによる操作の回数に応じて表示器１３の出し入れおよび表示状態を制御してもよい。
【００４２】
上述した実施形態において、表示制御部１２は、操作面１１ａ上における操作者の手指Ｐによる所定速度未満のスワイプに応じて画面の表示数を切り替える際に、既に表示している画面の位置を移動させるとしたが、これに限定されない。
表示制御部１２は、所定速度未満の下方向のスワイプに応じて画面の表示数を増大させる際に、既に表示している画面の下方に新たな画面を追加表示してもよい。表示制御部１２は、所定速度未満の上方向のスワイプに応じて画面の表示数を減少させる際に、最も下方の画面から順に表示を削除してもよい。
【００４３】
上述した実施形態において、表示制御部１２は、操作面１１ａ上における操作者の手指Ｐによる所定速度以上のスワイプに応じて地図画面の地図領域を変化させる際に、既に表示している地図画面の上下方向において地図領域を変化させるとしたが、これに限定されない。
表示制御部１２は、所定速度以上の下方向のスワイプに応じて地図画面２１の地図領域を拡張する際に、既に表示している地図画面２１の下方向において地図領域を拡張するように拡張地図画面２４を表示してもよい。表示制御部１２は、所定速度以上の上方向のスワイプに応じて拡張地図画面２４の地図領域を減少させる際に、既に表示している拡張地図画面２４の最も下方の部分から地図領域を減少させるように地図画面２１を表示してもよい。
【００４４】
上述した実施形態において、表示制御部１２は、操作面１１ａ上における操作者の手指Ｐによる所定速度以上のスワイプに応じて地図画面の地図領域を所定下限面積と所定上限面積との間で切り替えるとしたが、これに限定されない。
表示制御部１２は、操作面１１ａ上における操作者の手指Ｐによる所定速度未満のスワイプに応じて地図画面の地図領域を、所定下限面積と所定上限面積との間の少なくとも１つの中間面積と、所定下限面積および所定上限面積とによって段階的に変化させてもよい。
【００４５】
上述の実施形態は、例として提示したものであり、発明の範囲を限定することは意図していない。上述の新規な実施形態は、その他の様々な形態で実施されることが可能であり、発明の要旨を逸脱しない範囲で、種々の省略、置き換え、変更を行うことができる。上述の実施形態やその変形は、発明の範囲や要旨に含まれるとともに、特許請求の範囲に記載された発明とその均等の範囲に含まれる。
【符号の説明】
【００４６】
１…車両、３…インストルメントパネル、１０…車両用表示装置、１１…表示器、１１ａ…操作面、１２…表示制御部、１３…表示器
【図１】
2016078787.tif 000003
【図２】
2016078787.tif 000004
【図３】
2016078787.tif 000005
【図４】
2016078787.tif 000006
【図５】
2016078787.tif 000007
【図６】
2016078787.tif 000008
【図７】
2016078787.tif 000009
【図８】
2016078787.tif 000010
【図９】
2016078787.tif 000011